(57)【要約】【課題】画像ムラを抑制することが可能な画像読み取り装置を提供する。【解決手段】光源の色毎の初期シェーディングデータを記憶する記憶部と、画像を読み取る際の光源の色毎の読み取りシェーディングデータと、記憶部に記憶されている色毎の初期シェーディングデータとの差分を抽出し、差分が基準部材を要因とするかどうかを判定するシェーディング補正判定部と、シェーディング補正判定部の判定結果に基づいて、読み取り画像にシェーディング補正を行うシェーディング補正部とを備える画像読み取り装置を構成する。【選択図】図２
2020096292.tif 000002
【特許請求の範囲】
【請求項１】
基準部材と、
２色以上の光を放出する光源と、
前記基準部材からの反射光を受光する光電変換素子が実装されたセンサ基板と、
前記基準部材と前記光源及び前記センサ基板との間に配置された原稿ガラス板と、
前記光源の色毎の初期シェーディングデータを記憶する記憶部と、
画像を読み取る際の前記光源の色毎の読み取りシェーディングデータと、前記記憶部に記憶されている色毎の前記初期シェーディングデータとの差分を抽出し、前記差分が前記基準部材を要因とするかどうかを判定するシェーディング補正判定部と、
前記シェーディング補正判定部の判定結果に基づいて、読み取り画像にシェーディング補正を行うシェーディング補正部と、を備える
画像読み取り装置。
【請求項２】
前記シェーディング補正判定部は、前記光源の色毎の前記読み取りシェーディングデータを画素毎に比較して、隣接画素間の前記読み取りシェーディングデータに色毎の差分がある場合に、前記シェーディング補正部は、前記初期シェーディングデータを用いて前記読み取り画像にシェーディング補正を行う
請求項１に記載の画像読み取り装置。
【請求項３】
前記シェーディング補正部は、前記シェーディング補正判定部の結果に基づいて、前記初期シェーディングデータを用いて前記読み取りシェーディングデータの補正を行い、補正した前記読み取りシェーディングデータを用いて前記読み取り画像にシェーディング補正を行う
請求項１に記載の画像読み取り装置。
【請求項４】
前記光源として、赤色の光源、緑色の光源、及び、青色の光源を備える
請求項１に記載の画像読み取り装置。
【請求項５】
前記記憶部、前記シェーディング補正判定部、及び、前記シェーディング補正部を制御する制御部を備える
請求項１に記載の画像読み取り装置。
【請求項６】
前記光源の光量レベルを観察するための光量センサを備え、前記光量センサで取得した前記光量レベルを基に前記制御部が前記光源の光量を制御する
請求項５に記載の画像読み取り装置。
【請求項７】
前記光源として、２色以上の光を放出する第１の光源と、２色以上の光を放出する第２の光源とを有し、
前記記憶部が、前記第１の光源と前記第２の光源との両方を用いた色毎の前記初期シェーディングデータを記憶し、
前記シェーディング補正判定部が、前記第１の光源と前記第２の光源との両方を用いた色毎の前記読み取りシェーディングデータと、前記記憶部に記憶されている色毎の前記初期シェーディングデータとの差分を抽出し、前記第１の光源を用いた色毎の前記読み取りシェーディングデータと、前記第２の光源を用いた色毎の前記読み取りシェーディングデータとを比較することにより、前記差分が前記基準部材を要因とするかどうかを判定する
請求項１に記載の画像読み取り装置。
【請求項８】
基準部材と、
２色以上の光を放出する光源と、
前記基準部材からの反射光を受光する光電変換素子が実装されたセンサ基板と、
前記基準部材と前記光源及び前記センサ基板との間に配置された原稿ガラス板と、
前記光源の色毎の初期シェーディングデータを記憶する記憶部と、
画像を読み取る際の前記光源の色毎の読み取りシェーディングデータと、前記記憶部に記憶されている色毎の前記初期シェーディングデータとの差分を抽出し、前記差分が前記基準部材を要因とするかどうかを判定するシェーディング補正判定部と、
前記シェーディング補正判定部の判定結果に基づいて、読み取り画像にシェーディング補正を行うシェーディング補正部と、
用紙に画像を形成する画像形成部と、を備える
画像形成装置。
【発明の詳細な説明】
【技術分野】
【０００１】
本発明は、画像読み取り装置、及び、画像読み取り装置を備える画像形成装置に係わる。
【背景技術】
【０００２】
光電変換素子（イメージセンサ）を使用している画像読み取り装置において、光学系の不均一性や撮像素子個々の画素の出力不均一性等による画像ムラを補正するため、主走査の基準となる白板（基準部材）を読み取り主走査分布を補正する処理、いわゆるシェーディング補正が行われている。
【０００３】
フラットベッド読み取り装置では、コンタクトガラスの端部に取り付けられた基準部材をキャリッジが通過する際に、基準となるシェーディングデータを読み取り、記憶部が読み取ったシェーディングデータを保存する。また、シートスルー読み取りでは、原稿読み取り毎にキャリッジがホームポジションから基準部材直下に移動してシェーディングデータを読み取り、記憶部が読み取ったシェーディングデータを保存する。
【０００４】
最近のシートスルー連続読み取りでは、基準部材を読み取るキャリッジ動作を原稿読み取りの数分ごとに１回、又は、数枚ごとに１回というように省略する、いわゆる間欠シェーディングが行われている。これにより、シェーディング補正のためのキャリッジ動作の回数を減らし、連続読み取り時の生産性向上を図っている。
【０００５】
しかし、間欠シェーディングを実施する際は、光源連続点灯の発熱による短期の光量低下の影響で、原稿の読み取りレベル（画素信号レベル）が経時で下がってしまう。このため、初期に取得したシェーディングデータを使ってシェーディング補正を行うと、最初と最後の読み取り原稿で濃度差が生じてしまうという問題がある。
【０００６】
間欠シェーディングにおける問題を解決するため、レベル補正係数を用いて、シェーディング補正された各画素の読み取りレベルを補正する制御方法（以下、レベル補正と表記する）が知られている。レベル補正では、まず原稿読み取り毎にキャリッジホームポジションの読取面にある基準部材のレベルをモニタし、基準部材の読み取りレベルの減衰量（変動量）を光量変動分として取得する。そして、基準部材の読み取りレベルの減衰量に応じて、原稿１枚ごとの利得調整値（レベル補正係数）を算出する。この算出したレベル補正係数を、シェーディング補正された各画素の読み取りレベルに乗算することで、適正な濃度の画像を得ることができる。
【０００７】
上述のレベル補正を用いた画像読み取り装置として、例えば、一部の受光素子から出力される信号レベルから残りの信号レベルを算出（補間）することで、基準部材データの主走査方向の１ライン全ての画素信号（シェーディングデータ）を生成してレベル補正係数を算出し、シェーディング補正を行うことが提案されている（例えば、特許文献１参照）。
【０００８】
しかし、上述のシェーディング補正においては、基準部材にゴミや汚れ等の異物が付着してしまった場合、基準部材のゴミ混入部分の数画素分の画素信号レベルが低くなる。このため、異物が付着した状態のシェーディングデータからレベル補正係数を算出すると、基準部材のゴミ混入部分の画素信号レベルがその前後の画素信号レベルよりも高い値のレベル補正係数となる。この結果、レベル補正後の出力画像では基準部材のゴミ混入部分において、縦スジ等による画像ムラが発生してしまう。
【０００９】
このような基準部材にゴミや汚れ等の異物が付着してしまった場合の対処法として、上述の特許文献１には、ゴミ等の異物を検出してレベル補正を行うことが記載されている。具体的には、シェーディングデータの画素信号レベルが閾値を超えた部分では、その部分にゴミ等の異物が有ると判断する。そして、ゴミ等の異物が存在すると判断した場合には、直前の画素のレベル補正係数を用いてシェーディング補正を行うことで、ゴミ等の異物による画像ムラの発生を抑制している。
【先行技術文献】
【特許文献】
【００１０】
【特許文献１】特開２０１５−９１０３６号公報
【発明の概要】
【発明が解決しようとする課題】
【００１１】
しかしながら、シェーディングデータにおいて画素信号レベルが閾値を超える部分は、基準部材のゴミ等の異物によるものとは限られない。例えば、基準部材以外の他の要因として、画像読み取り装置の読み取り部側の要因によって画素信号レベルが変動し、シェーディングデータに影響を与える場合がある。読み取り部側の要因としては、例えば、結露等の水滴による導光体の局所的な画素信号レベルの変動、結露等の水滴や水垢等のプラテンガラスの透過率変化による局所的な画素信号レベルの変動、及び、劣化による受光センサの局所的な感度の低下等が挙げられる。
【００１２】
これらの画像読み取り装置の読み取り部側の要因による画素信号レベルの変動は、基準部材を用いたシェーディングデータ生成用の読み取りだけでなく、原稿を読み取るジョブにおいても継続される。このため、上述の読み取り部側の要因は、基準部材上のゴミ等の異物と異なり、原稿読み取りの際の画像ムラに影響を与えない。従って、基準部材上のゴミ等の異物に起因する画素信号レベルの変動と異なり、上述の読み取り部側の要因による影響を含めたシェーディングデータを適用しないと、シェーディング補正による画像ムラを抑制することができない。
【００１３】
上述の特許文献１に記載されているシェーディング補正のように、画素信号レベルが閾値を超える部分を全て基準部材の異物によるものと判断すると、読み取り部側の要因による画素信号レベルの変動も補正されてしまう。この場合、シェーディング補正によって読み取り部側の要因の画素信号レベルの変動も補正されてしまうため、原稿を読み取った際の画素信号レベルが必要以上に補正されてしまう。この結果、シェーディング補正後の出力画像に画像ムラが発生してしまう。
【００１４】
このため、シェーディングデータにおける画素信号レベルの変動が、読み取り部側の要因とするか、基準部材のゴミ等の異物を要因とするかを判別し、読み取り画像に対して適切なシェーディング補正を行うことにより、出力画像の画像ムラを抑制することが可能な画像読み取り装置、及び、画像形成装置が求められている。
【００１５】
上述した問題の解決のため、本発明においては、画像ムラを抑制することが可能な画像読み取り装置、及び、画像形成装置を提供する。
【課題を解決するための手段】
【００１６】
本発明の画像読み取り装置は、基準部材と、２色以上の光を放出する光源と、基準部材からの反射光を受光する光電変換素子が実装されたセンサ基板と、基準部材と光源及びセンサ基板との間に配置された原稿ガラス板とを備える。さらに、光源の色毎の初期シェーディングデータを記憶する記憶部と、画像を読み取る際の光源の色毎の読み取りシェーディングデータと、記憶部に記憶されている色毎の初期シェーディングデータとの差分を抽出し、差分が基準部材を要因とするかどうかを判定するシェーディング補正判定部と、シェーディング補正判定部の判定結果に基づいて、読み取り画像にシェーディング補正を行うシェーディング補正部とを備える。
また、本発明の画像形成装置は、基準部材と、２色以上の光を放出する光源と、基準部材からの反射光を受光する光電変換素子が実装されたセンサ基板と、基準部材と光源及びセンサ基板との間に配置された原稿ガラス板とを備える。さらに、光源の色毎の初期シェーディングデータを記憶する記憶部と、画像を読み取る際の光源の色毎の読み取りシェーディングデータと、記憶部に記憶されている色毎の初期シェーディングデータとの差分を抽出し、差分が基準部材を要因とするかどうかを判定するシェーディング補正判定部と、シェーディング補正判定部の判定結果に基づいて、読み取り画像にシェーディング補正を行うシェーディング補正部と、用紙に画像を形成する画像形成部とを備える。
【発明の効果】
【００１７】
本発明によれば、画像ムラを抑制することが可能な画像読み取り装置、及び、画像形成装置を提供することができる。
【図面の簡単な説明】
【００１８】
【図１】画像読み取り装置が搭載された画像形成装置の全体構成を示す図である。
【図２】画像読み取り装置の構成を示す図である。
【図３】初期シェーディングデータを示すグラフである。
【図４】基準部材に異物が存在する場合の画像読み取り装置の模式図である。
【図５】基準部材に異物が存在する場合の読み取りシェーディングデータを示すグラフである。
【図６】原稿ガラス板に水滴が付着した場合の画像読み取り装置の模式図である。
【図７】原稿ガラス板に水滴が付着した場合の読み取りシェーディングデータを示すグラフである。
【図８】画像読み取り装置におけるシェーディング補正を説明するためのフローチャートである。
【図９】画像読み取り装置の構成を示す図である。
【図１０】第１の光源と第２の光源とを同時に駆動した場合の読み取りシェーディングデータを示すグラフである。
【図１１】第１の光源による読み取りシェーディングデータと、第２の光源による読み取りシェーディングデータとを示すグラフである。
【図１２】第１の光源による読み取りシェーディングデータと、第２の光源による読み取りシェーディングデータとを示すグラフである。
【図１３】画像読み取り装置におけるシェーディング補正を説明するためのフローチャートである。
【発明を実施するための形態】
【００１９】
以下、本発明を実施するための形態の例を説明するが、本発明は以下の例に限定されるものではない。
なお、説明は以下の順序で行う。
１．画像読み取り装置、画像形成装置（第１実施形態）
２．画像読み取り装置（第２実施形態）
【００２０】
〈１．画像読み取り装置、画像形成装置〉
［画像形成装置 ］
以下画像読み取り装置、及び、画像読み取り装置を備える画像形成装置の具体的な実施の形態について説明する。図１に、画像読み取り装置が搭載された画像形成装置の全体構成を示す。
【００２１】
図１に示すように、画像形成装置は自動原稿搬送装置（ＡＤＦ）１０と、画像読み取り装置２０と、画像形成部３０と、自動両面ユニット４０と、給紙部５０と、給紙キャビネット６０と、操作パネル７０と、ファクシミリユニット９０と、通信インターフェース（Ｉ／Ｆ）ユニット９１と、制御部１００及び記憶部１２０等を備える。
【００２２】
自動原稿搬送装置１０は、原稿給紙トレイ１２上にセットされた複数の原稿を１枚ずつ自動的に画像読み取り装置２０の読み取りガラスであるプラテンガラス上に設定された所定の原稿読み取り位置まで搬送し、画像読み取り装置２０により原稿画像の読み取りが行われると、原稿排紙トレイ上に排出する公知の装置である。また、自動原稿搬送装置１０は原稿セットセンサ１１を備え、原稿セットセンサ１１は公知のタクトスイッチで構成され、原稿がセットされたか否かを検出し、その結果を制御部１００に信号として送る。
【００２３】
画像読み取り装置２０は、画像読み取り位置に搬送された原稿の大きさ等に応じて原稿画像を走査し、原稿画像に光源から照射された光の反射光を入射光として受光し、入射光を電気信号に変換して画像データとして制御部１００に送る装置である。また、画像読み取り装置２０は装置持ち上げセンサ１３を備え、装置持ち上げセンサ１３は公知の磁気センサで構成され、自動原稿搬送装置１０が持ち上げられたか否かを検出し、その結果を制御部１００に信号として送る。
【００２４】
操作パネル７０は、公知のユーザインターフェースであって、タッチパネル入力部を兼ねた表示部７１、キー入力部７２を備える。さらに、操作パネル７０は副電源スイッチ８０を備える。副電源スイッチ８０はユーザーが省電力動作モードであるスリープモードヘの移行を直接指示するためのスイッチである。
【００２５】
制御部１００は、受け取った読み取りデータにシェーディング補正などの各種データ処理を施し、用紙の供給と同期して主走査ラインごとに読み出してレーザダイオードを駆動するための信号を出力する等、画像形成装置の全体を統括的に制御する。さらに本実施形態では、後述するように原稿画像の読み取り前にシェーディング補正用のシェーディングデータを取得して部分的なデータ置換処理を行う。
記憶部１２０は、例えばハードディスク装置（ＨＤＤ）から構成され、制御部１００から送られてくる画像データやその他のデータを記憶する。
【００２６】
ファクシミリユニット９０は、公衆電話回線に接続し、画像データの送受信を行うためのインターフェースである。
通信Ｉ／Ｆユニット９１は、パーソナルコンピュータ等が接続された外部ネットワークに接続するためのインターフェースである。外部ネットワークとしては、ＬＡＮやＵＳＢを備える。
【００２７】
画像形成部３０は、周知の電子写真方式により画像を形成するものであって、感光体ドラム３１ａ、３１ｂ、３１ｃ、３１ｄと、露光走査ユニット３２ａ、３２ｂ、３２ｃ、３２ｄと、転写ベルト３３と、図示しないがこれらユニットを保護する前扉カバー、前扉センサ３４を備える。また、画像形成部３０はイエロー、マゼンダ、シアン、黒の４色に対応している。制御部１００から出力される駆動信号に基づいて、露光走査ユニット３２ａ、３２ｂ、３２ｃ、３２ｄで生成されたレーザ光が各感光体ドラム３１ａ、３１ｂ、３１ｃ、３１ｄ上に露光走査される。前扉センサ３４は公知のタクトスイッチで構成され、前扉カバーが開放されたかどうかを検出し、その結果を制御部１００に信号として送る。転写ベルト３３は、各色に対応する感光体ドラム３１ａ、３１ｂ、３１ｃ、３１ｄ上のトナー像を全て重ね合わせて、給紙部５０から搬送されてくる用紙に転写する。
自動両面ユニット４０は、片面が印刷された用紙を裏表反転させるために、通紙経路上で一旦スイッチバックさせ、再度給紙させることによって両面印刷を可能にする。
【００２８】
給紙部５０は、用紙を収納しておくための給紙カセット５１と、この用紙を繰り出すためのピックアップローラ５２を備え、画像形成部３０に用紙を補給する。
給紙キャビネット６０は、給紙部５０と同様に、用紙を収納しておくための給紙カセット６１、６３、６５と、この用紙を繰り出すためのピックアップローラ６２、６４、６６を備え、給紙部５０を経由して画像形成部３０に用紙を補給する。
【００２９】
［画像読み取り装置］
図２ に画像読み取り装置２０の構成図を示す。
図２に示すように画像読み取り装置２０は、光源２１、導光体２２、原稿ガラス板２３、基準部材２７、結像レンズ２４、及び、光電変換素子２６と光量センサ２８とが実装されたセンサ基板２５を備える。また、画像読み取り装置２０の全体を制御するための制御部１００を備える。なお、制御部１００は、画像読み取り装置２０が単独で有していてもよく、画像形成装置と共通であってもよい。
【００３０】
画像読み取り装置２０は、原稿ガラス板２３上に搬送されてきた用紙に形成されている画像を読み取って画像データを生成する。また、ジョブ中に定期的にシェーディング補正を行うために、白色の基準となる基準部材２７の位置に移動してシェーディングデータを取得する。
【００３１】
光源２１は、複数の発光色を放出する発光体を備える。例えば、赤（Ｒ）、緑（Ｇ）、青（Ｂ）の３色のＬＥＤから構成される。点灯駆動回路を介して、制御部１００によって点灯制御される。
導光体２２は、画像読み取り装置２０の読み取り位置に向けて光源２１が射出される光を誘導し、主走査方向である原稿の幅方向に均一性を高める。
【００３２】
画像読み取り装置２０では、結像レンズ２４と、結像レンズ２４の直下に配置された光電変換素子２６とが、それぞれ主走査方向である原稿の幅方向に一列状に配置されている。結像レンズ２４は、光源２１から原稿ガラス板２３を通して原稿や基準部材２７に照射された光の反射光によって得られる光学像を、光電変換素子２６に集光する。光電変換素子２６は、結像レンズ２４で集光された光を受光する。光電変換素子２６は、例えば、原稿搬送方法と直交する方向に延びる一次元状の撮像領域を有し、結像レンズ２４で集光された光学像を走査して、原稿に形成された画像を読み取るＣＣＤカメラ等のラインセンサである。
【００３３】
光電変換素子２６で光電変換された画像データは、センサ基板２５においてアナログ信号がデジタル信号にＡ／Ｄ変換され、制御部１００に送信される。制御部１００は、ＣＰＵ、ＲＯＭ、ＲＡＭ等を備えて構成される。ＣＰＵは光源２１の点灯制御、デジタル信号に変換された画像データの処理を含む画像読み取り装置２０の全体を統括的に制御する。
【００３４】
光量センサ２８は、画像の読み取り前に予め光源２１の各色（例えば、ＲＧＢ）の光量レベルを取得する。そして、取得した光量レベルを制御部１００に送信する。制御部１００は、光量センサ２８から取得した光源２１の各色の光量レベルを基に、光源２１の各色の光量を調整する。例えば、制御部１００は、光源２１の光量レベルが出荷時と比較して低下している場合には、光源２１の該当する色の光量を増加させるように制御する。
【００３５】
制御部１００は光源２１の点灯制御、画像読み取りデータやシェーディングデータの取得、及び、画像データの処理等を含む画像形成装置の全体を統括的に制御する。また、制御部１００は、シェーディング補正を行うための構成として、シェーディング補正判定部２０１、初期シェーディングデータ記憶部２０２、及び、シェーディング補正部２０３を備える。
【００３６】
初期シェーディングデータ記憶部２０２は、光源２１の各色における初期シェーディングデータを記憶する。初期シェーディングデータは、画像読み取り装置２０の初期使用（製造、出荷等）時に基準部材２７を用いて取得したシェーディングデータである。
なお、制御部１００において、初期シェーディングデータ記憶部２０２は、画像形成装置に形成された記憶部１２０で代用することもできる。また、初期シェーディングデータ記憶部２０２は、制御部１００が読み出した記憶部１２０に記憶された初期シェーディングデータを、一時的に記憶するための記憶部であってもよい。
【００３７】
シェーディング補正判定部２０１は、画像を読み取る際の光源２１の色毎の読み取りシェーディングデータと、初期シェーディングデータ記憶部２０２に記憶されている色毎の初期シェーディングデータとの差分を抽出する。そして、抽出した差分が基準部材２７を要因とするかどうかを判定する。このシェーディング補正判定部２０１における、差分が基準部材２７を要因とするかどうかを判定については後述する。
【００３８】
シェーディング補正部２０３は、シェーディングデータを用いて読み取り画像にシェーディング補正を行う。シェーディング補正部２０３は、シェーディング補正判定部２０１の指示に基づいて、画像読み取りの際に基準部材２７を用いて取得した読み取りシェーディングデータ、初期シェーディングデータ記憶部２０２に記憶されている初期シェーディングデータ、読み取りシェーディングデータを初期シェーディングデータで補正した補正シェーディングデータのいずれかを選択して用いる。
【００３９】
［シェーディング補正判定部での判定］
（初期シェーディングデータ）
画像読み取り装置２０の初期使用（製造、出荷等）時に基準部材２７を読み取った初期シェーディングデータの一例を図３に示す。なお、図３において、横軸は主走査方向の画素位置を示し、縦軸は画素信号レベルの階調値を示す。また、主走査方向の右方向（紙面右方向）を＋方向、左方向を−方向とする。また、図３では、初期シェーディングデータの一例として、光源２１が赤色光を発光した際の初期シェーディングデータ１０１Ｒ、緑色光を発光した際の初期シェーディングデータ１０１Ｇ、青色光を発光した際の初期シェーディングデータ１０１Ｂを示している。
【００４０】
画像読み取り装置２０は、光学系の不均一性や撮像素子個々の画素の出力不均一性等によって、光電変換素子の主走査方向の画素毎に画素信号レベルの階調ムラが発生する。このため、初期シェーディングデータ記憶部２０２に記憶されている初期シェーディングデータは、レンズや光源の特性等によって主走査方向の中央部より主走査方向の両端部の画素信号レベルが高くなり、主走査方向に湾曲した形状となる。
【００４１】
（基準部材を要因とするシェーディングデータ）
画像読み取り装置２０の経時使用後において、原稿読み取りの際のシェーディングデータ（読み取りシェーディングデータ）を取得する際、紙粉等のゴミや原稿のトナーによる汚れ等による異物が基準部材２７に付着する場合がある。基準部材２７にゴミや汚れ等の異物が存在する場合の画像読み取り装置２０の模式図を図４に示す。なお、図４では、光源２１から射出される３色（Ｒ、Ｇ、Ｂ）の光線１０２と、基準部材２７、原稿ガラス板２３、及び、光電変換素子２６のみを示している。
【００４２】
図４に示すように、光源２１から射出された各色の光は、基準部材２７で反射する際に、一部の光線１０２が基準部材２７上の異物２９によって吸収及び反射等の干渉を受けた後、光電変換素子２６に入射する。このときの読み取りシェーディングデータを図５に示す。図５では、読み取りシェーディングデータの一例として、光源２１が赤色光を発光した際の読み取りシェーディングデータ１０３Ｒ、緑色光を発光した際の読み取りシェーディングデータ１０３Ｇ、青色光を発光した際の読み取りシェーディングデータ１０３Ｂを示している。図５に示すように、各色の読み取りシェーディングデータ１０３Ｒ，１０３Ｇ，１０３Ｂは、基準部材２７上の異物２９が付着した箇所に対応して、各色光の初期シェーディングデータ１０３Ｒ，１０３Ｇ，１０３Ｂ（図３参照）に大きな波形歪み （ノイズ）１０４Ｒ，１０４Ｇ，１０４Ｂが発生している。
【００４３】
このとき、赤色光の読み取りシェーディングデータ１０３Ｒの波形歪み１０４Ｒ、緑色光の読み取りシェーディングデータ１０３Ｇの波形歪み１０４Ｇ、及び、青色光の読み取りシェーディングデータ１０３Ｂの波形歪み１０４Ｂは、基準部材２７上の異物の色や形状等に応じてそれぞれ異なる形状となる。例えば、異物が緑色の光を他の色の光よりも吸収しやすい場合には、図５に示すように緑色光の波形歪み１０４Ｇが、赤色光の波形歪み１０４Ｒや青色光の波形歪み１０４Ｂよりも小さくなる。このため、該当画素において、読み取りシェーディングデータ１０３Ｒ，１０３Ｇ，１０３Ｂの画素信号レベルと、初期シェーディングデータ１０１Ｒ，１０１Ｇ，１０１Ｂ（図３参照）の画素信号レベルの変動量が、各色光において異なる値となる。
【００４４】
図５に示す場合では、基準部材２７の異物の位置において、読み取りシェーディングデータ１０３Ｒや読み取りシェーディングデータ１０３Ｂは、初期シェーディングデータ１０１Ｒ及び初期シェーディングデータ１０１Ｂから画素信号レベルの画素信号レベルの変動量が大きいのに対し、読み取りシェーディングデータ１０３Ｇは初期シェーディングデータ１０１Ｇから画素信号レベルの変動量が小さい。即ち、ゴミや汚れ等の異物によって基準部材２７を要因とする場合は、読み取りシェーディングデータ１０３Ｒ，１０３Ｇ，１０３Ｂの波形歪み（ノイズ）１０４Ｒ，１０４Ｇ，１０４Ｂにおいて、各色光の初期シェーディングデータ１０１Ｒ，１０１Ｇ，１０１Ｂ（図３参照）との画素信号レベルの変動量に大きな差が発生する。
【００４５】
（基準部材を要因としないシェーディングデータ）
画像読み取り装置２０の経時使用後において、原稿読み取りの際のシェーディングデータ（読み取りシェーディングデータ）を取得する際、原稿ガラス板２３に付着した結露等の水滴による導光体の局所的な画素信号レベルの変動、結露等の水滴や水垢等のプラテンガラスの透過率変化による局所的な画素信号レベルの変動等が発生する場合がある。一例として、原稿ガラス板２３に水滴Ｗが付着した場合の画像読み取り装置２０の模式図を図６に示す。なお、図６では、光源２１から射出される３色（Ｒ、Ｇ、Ｂ）の光線１０２と、基準部材２７、原稿ガラス板２３、及び、光電変換素子２６のみを示している。
【００４６】
図６に示すように、光源２１から射出された各色の光は、基準部材２７で反射する際に、各光線１０２が原稿ガラス板２３に水滴Ｗによって吸収及び反射等の干渉を受けた後、光電変換素子２６に入射する。このときの読み取りシェーディングデータを図７に示す。図７では、読み取りシェーディングデータの一例として、光源２１が赤色光を発光した際の読み取りシェーディングデータ１０５Ｒ、緑色光を発光した際の読み取りシェーディングデータ１０５Ｇ、青色光を発光した際の読み取りシェーディングデータ１０５Ｂを示している。図７に示すように、各色の読み取りシェーディングデータ１０５Ｒ，１０５Ｇ，１０５Ｂは、原稿ガラス板２３に水滴Ｗが付着した箇所に対応して、各色光の初期シェーディングデータ１０１Ｒ，１０１Ｇ，１０１Ｂ（図３参照）に対して大きな波形歪み（ノイズ）１０６Ｒ，１０６Ｇ，１０６Ｂが発生している。
【００４７】
このとき、上述の基準部材２７に異物が存在する場合（図５参照）と異なり、赤色光の読み取りシェーディングデータ１０５Ｒの波形歪み１０６Ｒ、緑色光の読み取りシェーディングデータ１０５Ｇの波形歪み１０６Ｇ、及び、青色光の読み取りシェーディングデータ１０５Ｂの波形歪み１０６Ｂは、同様の形状となる。即ち、該当画素において、読み取りシェーディングデータ１０５Ｒ，１０５Ｇ，１０５Ｂの画素信号レベルと、初期シェーディングデータ１０１Ｒ，１０１Ｇ，１０１Ｂ（図３参照）の画素信号レベルの変動量が、各色光において同様の値となる。即ち、基準部材２７を要因としない場合は、読み取りシェーディングデータ１０５Ｒ，１０５Ｇ，１０５Ｂの波形歪み（ノイズ）１０６Ｒ，１０６Ｇ，１０６Ｂと、初期シェーディングデータ１０１Ｒ，１０１Ｇ，１０１Ｂ（図３参照）とにおいて、各色光の画素信号レベルの変動量に大きな差が発生しない。
【００４８】
（各色光の画素信号レベルの変動量 ）
各色光における画素信号レベルの変動量の求め方は、例えば、初期シェーディングデータと読み取りシェーディングデータとにおいて、光電変換素子２６の隣接する画素同士の画素信号レベルを比較することで求められる。
【００４９】
例えば、初期シェーディングデータ１０１Ｒ，１０１Ｇ，１０１Ｂ（図３参照）と、読み取りシェーディングデータ１０３Ｒ，１０３Ｇ，１０３Ｂ（図５参照）又は読み取りシェーディングデータ１０５Ｒ，１０５Ｇ，１０５Ｂ（図７参照）とにおいて、光電変換素子２６のＮ画素目と、Ｎ＋１画素目との画素信号レベルの差分Ｘを求める。
［（Ｎ画素目信号レベル）−（Ｎ＋１画素目信号レベル）＝画素間信号レベル差分Ｘ］
【００５０】
そして、各色光の初期シェーディングデータと読み取りシェーディングデータとにおいて画素間信号レベル差分Ｘを、該当する画素間で比較する。即ち、該当する画素毎に、初期シェーディングデータの画素間信号レベル差分Ｘと、読み取りシェーディングデータの画素間信号レベル差分Ｘとから、両シェーディングデータ間の画素信号レベルの変動量Ｙを求める。
［（初期シェーディングデータの画素間信号レベル差分Ｘ）−（読み取りシェーディングデータの画素間信号レベル差分Ｘ）＝シェーディングデータ間の画素信号レベル変動量Ｙ］
【００５１】
このようにシェーディングデータ間の画素信号レベル変動量Ｙを求めることにより、初期シェーディングデータと読み取りシェーディングデータとにおいて、隣接画素間の画素信号レベルの差分の変動量を求めることができる。
【００５２】
（判定）
上述のように、読み取りシェーディングデータに初期シェーディングデータからの波形歪みが発生している場合は、隣接画素間の画素信号レベルの差分の変動量（画素信号レベル変動量Ｙ）を求めることにより、上記波形歪みの発生が基準部材２７を要因とするものかどうかを判定することができる。具体的には、上記波形歪みにおいて、各色光に画素信号レベルの差分の変動量（画素信号レベル変動量Ｙ）で大きな差が発生している場合には、発生した波形歪みが基準部材２７を要因とするものと判定することができる。
【００５３】
上述の図５に示す各色光の読み取りシェーディングデータ１０３Ｒ，１０３Ｇ，１０３Ｂにおいては、緑色光の波形歪み１０４Ｇによる変動量（画素信号レベル変動量Ｙ）が、赤色光の波形歪み１０４Ｒや青色光の波形歪み１０４Ｂよる変動量（画素信号レベル変動量Ｙ）よりも小さくなる。このため、図５に示すような読み取りシェーディングデータ１０３Ｒ，１０３Ｇ，１０３Ｂが得られた場合には、波形歪み１０４Ｒ，１０４Ｇ，１０４Ｂは基準部材２７を要因とするものと判定することができる。
【００５４】
一方、上記波形歪みにおいて、各色光に画素信号レベルの差分の変動量（画素信号レベル変動量Ｙ）で大きな差が発生していない場合には、基準部材２７を要因としないものと判定することができる。
【００５５】
上述の図７に示す各色光の読み取りシェーディングデータ１０５Ｒ，１０５Ｇ，１０５Ｂにおいては、各色光の波形歪み１０６Ｒ，１０６Ｇ，１０６Ｂの変動量（画素信号レベル変動量Ｙ）が、同程度である。このため、図７に示すような読み取りシェーディングデータ１０５Ｒ，１０５Ｇ，１０５Ｂが得られた場合には、波形歪み１０６Ｒ，１０６Ｇ，１０６Ｂは基準部材２７を要因としないものと判定することができる。
【００５６】
［フローチャート］
図８に、画像読み取り装置におけるシェーディング補正を説明するためのフローチャートを示す。
まず、光源２１を駆動し、各色光（ＲＧＢ）を用いて基準部材２７を読み取り、原稿に形成された画像を読み取る前の読み取りシェーディングデータを取得する（ステップＳ１０）。読み取りシェーディングデータは、光電変換素子２６で受光した画像データがセンサ基板２５でデジタル信号に変換され、制御部１００のシェーディング補正判定部２０１に出力される。
【００５７】
シェーディング補正判定部２０１は、取得した読み取りシェーディングデータと、初期シェーディングデータ記憶部２０２に記憶されている初期シェーディングデータとを比較する（ステップＳ１１）。例えば、読み取りシェーディングデータにおける隣接画素間の画素信号レベルの差分と、初期シェーディングデータ記憶部２０２に記憶されている初期シェーディングデータにおける隣接画素間の画素信号レベルの差分とを比較する。この比較により、読み取りシェーディングデータにおける、基準部材２７及び基準部材２７以外を要因とした、初期シェーディングデータから大きく外れる波形歪みを検出する。
【００５８】
シェーディング補正判定部２０１が、読み取りシェーディングデータにおける各色光（ＲＧＢ）の隣接画素間の画素信号レベルの差分を求めて比較し、基準部材を要因とする画素信号レベルの変動量を検出する（ステップＳ１２）。これにより、シェーディング補正判定部２０１が、読み取りシェーディングデータの波形歪みについて、基準部材２７を要因とするか、又は、基準部材２７以外を要因とするかを判定する。
【００５９】
判定結果を基にシェーディング補正判定部２０１が、読み取りシェーディングデータに対して初期シェーディングデータを用いて補正をかけたシェーディングデータ（補正シェーディングデータ）を算出する（ステップＳ１３）。基準部材２７を要因とする波形歪みが発生している位置の読み取りシェーディングデータに対してのみ、初期シェーディングデータを適用することで、基準部材２７を要因とする波形歪みを初期シェーディングデータで補正した補正シェーディングデータを算出する。これにより、基準部材２７を要因とする波形歪みのみを補正した補正シェーディングデータを得ることができる。
【００６０】
光源２１を駆動し、各色光（ＲＧＢ）を用いて原稿に形成された画像を読み取る（ステップＳ１４）。これにより、原稿に形成された画像データを取得する。そして、シェーディング補正部２０３が、シェーディング補正判定部２０１で算出した補正シェーディングデータを用いて読み取り画像データに対してシェーディング補正を行う（ステップＳ１５）。これにより、基準部材２７を要因とする波形歪みのみを初期シェーディングデータで補正し、且つ、基準部材２７を要因としない波形歪みを補正せずに算出した補正シェーディングデータを用いて読み取り画像データのシェーディング補正を行うことができる。このため、原稿に形成された画像を読み取った際の画像ムラを抑制することができる。
【００６１】
〈２．画像読み取り装置〉
次に、画像読み取り装置の第２実施形態について説明する。第２実施形態の画像読み取り装置は、光源と導光体とを複数箇所に備える構成である。なお、第２実施形態の画像読み取り装置も、上述の第１実施形態の画像読み取り装置と同様の画像形成装置に適用できる。
【００６２】
［画像読み取り装置］
図９に画像読み取り装置２０の構成図を示す。
図９に示すように画像読み取り装置２０は、第１の光源２１Ａ及び第２の光源２１Ｂと、第１の光源２１Ａに対応して設けられた第１の導光体２２Ａ、及び、第２の光源２１Ｂに対応して設けられた第２の導光体２２Ｂとを備える。なお、光源及び導光体を除く他の構成は、上述の図２に示す画像読み取り装置２０と同様の構成であるため、説明を省略する。
【００６３】
第１の光源２１Ａと、第２の光源２１Ｂとは、それぞれ異なる方向から原稿ガラス板２３を通して原稿や基準部材２７に光を照射する。また、第１の光源２１Ａと、第２の光源２１Ｂとは、それぞれ個別に駆動される。このため、第１の光源２１Ａと第２の光源２１Ｂとを同時に駆動して第１の光源２１Ａと第２の光源２１Ｂとの両方から、及び、第１の光源２１Ａと第２の光源２１Ｂとを個別に駆動していずれか一方のみから、原稿や基準部材２７に光を照射することができる。
【００６４】
このため、画像読み取り装置２０においては、第１の光源２１Ａと第２の光源２１Ｂとを同時に駆動した場合の読み取り画像データ、第１の光源２１Ａのみを駆動した場合の読み取り画像データ、及び、第２の光源２１Ｂのみを駆動した場合の読み取り画像データの３種の読み取り画像データを取得することができる。同様に、シェーディングデータとして、第１の光源２１Ａと第２の光源２１Ｂとを同時に駆動した場合のシェーディングデータ、第１の光源２１Ａのみを駆動した場合のシェーディングデータ、及び、第２の光源２１Ｂのみを駆動した場合のシェーディングデータの３種を取得することができる。
【００６５】
このため、初期シェーディングデータ記憶部２０２は、少なくとも、初期シェーディングデータとして、第１の光源２１Ａと第２の光源２１Ｂとを同時に駆動した場合の初期シェーディングデータを記憶している。さらに、初期シェーディングデータとして、第１の光源２１Ａのみを駆動した場合の初期シェーディングデータ、及び、第２の光源２１Ｂのみを駆動した場合の初期シェーディングデータを記憶していてもよい。
【００６６】
画像読み取り装置２０において、第１の光源２１Ａと第２の光源２１Ｂとを備えることにより、より正確なシェーディング補正が可能となる。例えば、基準部材２７上の異物によっては、光源２１に含まれる各色光の反射率が同一程度の場合がある。この場合には、シェーディングデータの波形歪みが、基準部材２７を要因とするがどうかの判定が困難となる場合がある。そこで、このような判定が困難な場合には、画像読み取り装置２０において、第１の光源２１Ａと第２の光源２１Ｂとを別々に駆動し、第１の光源２１Ａによる読み取りシェーディングデータと、第２の光源２１Ｂによる読み取りシェーディングデータとを取得する。そして、取得した読み取りシェーディングデータを比較することで、読み取りシェーディングデータの波形歪みが基準部材２７を要因とするがどうかを判定することができる。以下、判定方法の詳細について説明する。
【００６７】
［シェーディング補正判定部での判定］
（両側点灯）
画像読み取り装置２０において、第１の光源２１Ａと第２の光源２１Ｂとを同時に駆動した場合（以下、両側発光）の各色の読み取りシェーディングデータを図１０に示す。図１０に示す読み取りシェーディングデータは、第１の光源２１Ａと第２の光源２１Ｂが赤色光を発光した際の読み取りシェーディングデータ１０７Ｒ、緑色光を発光した際の初期シェーディングデータ１０７Ｇ、青色光を発光した際の初期シェーディングデータ１０７Ｂを示している。
【００６８】
また、図１０に示す各色の読み取りシェーディングデータ１０７Ｒ，１０７Ｇ，１０７Ｂは中央において各色光の初期シェーディングデータ１０１Ｒ，１０１Ｇ，１０１Ｂ（図３参照）に対して大きな波形歪み１０８Ｒ，１０８Ｇ，１０８Ｂが発生している。上述の第１実施形態として記載した判定の仕方では、この波形歪み１０８Ｒ，１０８Ｇ，１０８Ｂは、各色光に初期シェーディングデータからの画素信号レベルの差分の変動量（画素信号レベル変動量Ｙ）に大きな差が発生していない場合、基準部材２７を要因としないものと判定される。
【００６９】
しかし、基準部材２７上の異物の第１の光源２１Ａと第２の光源２１Ｂの各色光に対する反射率が同程度の場合には、図１０に示す波形歪み１０８Ｒ，１０８Ｇ，１０８Ｂのように、各色光において初期シェーディングデータからの変動量（画素信号レベル変動量Ｙ）が同様になる場合がある。このため、波形歪み１０８Ｒ，１０８Ｇ，１０８Ｂが、各色光に対する反射率が同程度の異物によって基準部材２７を要因とする場合にも、基準部材２７を要因としないものと判定されてしまう。
【００７０】
図９に示す第１の光源２１Ａと第２の光源２１Ｂとを備える画像読み取り装置２０では、上述のような各色光に対する反射率が同程度の異物が存在する場合にも、基準部材２７を要因とするどうかを正確に判定することが可能となる。具体的には、画像読み取り装置２０において第１の光源２１Ａと第２の光源２１Ｂとをそれぞれ個別に駆動して、各色光の読み取りシェーディングデータを取得する。そして、第１の光源２１Ａによる読み取りシェーディングデータと、第２の光源２１Ｂによる読み取りシェーディングデータとを、色光毎に比較することで、波形歪み１０８Ｒ，１０８Ｇ，１０８Ｂが基準部材２７を要因とするか、基準部材以外を要因とするかを判定することができる。
【００７１】
（片側点灯）
図１１及び図１２に、第１の光源２１Ａによる読み取りシェーディングデータと、第２の光源２１Ｂによる読み取りシェーディングデータとを示す。なお、図１１及び図１２は、上述の図１０に示す各色光の読み取りシェーディングデータ１０７Ｒ，１０７Ｇ，１０７Ｂにおける波形歪み１０８Ｒ，１０８Ｇ，１０８Ｂの部分のみを示している。
【００７２】
図１１では、第１の光源２１Ａが赤色光を発光した際の読み取りシェーディングデータ１０９Ｒ、緑色光を発光した際の初期シェーディングデータ１０９Ｇ、青色光を発光した際の初期シェーディングデータ１０９Ｂを示している。さらに、図１１では、第２の光源２１Ｂが赤色光を発光した際の読み取りシェーディングデータ１１０Ｒ、緑色光を発光した際の初期シェーディングデータ１１０Ｇ、青色光を発光した際の初期シェーディングデータ１１０Ｂを示している。
【００７３】
また、図１２では、第１の光源２１Ａが赤色光を発光した際の読み取りシェーディングデータ１１１Ｒ、緑色光を発光した際の初期シェーディングデータ１１１Ｇ、青色光を発光した際の初期シェーディングデータ１１１Ｂを示している。さらに、図１２では、第２の光源２１Ｂが赤色光を発光した際の読み取りシェーディングデータ１１２Ｒ、緑色光を発光した際の初期シェーディングデータ１１２Ｇ、青色光を発光した際の初期シェーディングデータ１１２Ｂを示している。
【００７４】
図１１に示す各色光の読み取りシェーディングデータ１０９Ｒ，１０９Ｇ，１０９Ｂ、及び、読み取りシェーディングデータ１１０Ｒ，１１０Ｇ，１１０Ｂは、画素信号レベルがそれぞれ異なる値を示している。一方、図１２に示す各色光の読み取りシェーディングデータ１１１Ｒ，１１１Ｇ，１１１Ｂ、及び、読み取りシェーディングデータ１１２Ｒ，１１２Ｇ，１１２Ｂは、画素信号レベルがそれぞれ同様の値を示している。
【００７５】
図１０に示す波形歪み１０８Ｒ，１０８Ｇ，１０８Ｂの発生要因が基準部材２７の各色光に対する反射率が同程度の異物である場合は、この異物以外に読み取りシェーディングデータに影響を与える要因が存在しない。さらに、この異物による各色光の読み取りシェーディングデータの画素信号レベルが同様となる。このため、いずれの光源（第１の光源２１Ａ、第２の光源２１Ｂ）を用いて読み取りシェーディングデータ（読み取りシェーディングデータ１１１Ｒ，１１１Ｇ，１１１Ｂ，１１２Ｒ，１１２Ｇ，１１２Ｂ）を取得しても、同様のシェーディングデータが得られる。従って、基準部材２７を要因とする場合には、図１２に示すように、読み取りシェーディングデータ１１１Ｒ，１１１Ｇ，１１１Ｂと、読み取りシェーディングデータ１１２Ｒ，１１２Ｇ，１１２Ｂとが同様の結果を示す。
【００７６】
一方、図１０に示す波形歪み１０８Ｒ，１０８Ｇ，１０８Ｂの発生要因が基準部材２７以外の場合、例えば、結露等の水滴による導光体の局所的な画素信号レベルの変動、結露等の水滴や水垢等のプラテンガラスの透過率変化による局所的な画素信号レベルの変動等である場合には、図１１に示すように、読み取りシェーディングデータ１１１Ｒ，１１１Ｇ，１１１Ｂと、読み取りシェーディングデータ１１２Ｒ，１１２Ｇ，１１２Ｂとで、それぞれ異なる画素信号レベルを示す。このとき、読み取りシェーディングデータ１１１Ｒ，１１１Ｇ，１１１Ｂでは、各色光別の画素信号レベルの差分の変動量（画素信号レベル変動量Ｙ）に大きな差が発生しない。同様に読み取りシェーディングデータ１１２Ｒ，１１２Ｇ，１１２Ｂとでは、各色光別の画素信号レベルの差分の変動量（画素信号レベル変動量Ｙ）に大きな差が発生しない。
【００７７】
図９に示す第１の光源２１Ａと第２の光源２１Ｂとを備える画像読み取り装置２０では、第１の光源２１Ａと第２の光源２１Ｂとで、基準部材２７までの光路が異なる。このため、一方の光源の光路上に波形歪み１０８Ｒ，１０８Ｇ，１０８Ｂの発生要因がある場合には、その一方の光源を用いて取得した読み取りシェーディングデータにのみ波形歪みが発生する。即ち、上述の図１１に示すように、第１の光源２１Ａを用いて取得した読み取りシェーディングデータ１０９Ｒ，１０９Ｇ，１０９Ｂと、第２の光源２１Ｂを用いて取得した読み取りシェーディングデータ１１０Ｒ，１１０Ｇ，１１０Ｂとが、異なる形状となる。従って、図１１に示すように、読み取りシェーディングデータ１１１Ｒ，１１１Ｇ，１１１Ｂと、読み取りシェーディングデータ１１２Ｒ，１１２Ｇ，１１２Ｂとが異なる結果を示す場合には、波形歪み１０８Ｒ，１０８Ｇ，１０８Ｂが基準部材２７を要因としないものと判定することができる。
【００７８】
上述のように、一方の光源を用いて取得した読み取りシェーディングデータと、他方の光源を用いて取得した読み取りシェーディングデータとを比較することにより、依り正確にシェーディングデータの波形歪みが基準部材を要因とするかどうかを判定することができる。なお、これらの判定は、上述の第１実施形態におけるシェーディング補正判定部２０１での判定と同様の手法を用いて行うことができる。
【００７９】
［フローチャート］
図１３に、上述の第２実施形態の画像読み取り装置におけるシェーディング補正を説明するためのフローチャートを示す。
まず、第１の光源２１Ａと第２の光源２１Ｂとを同時に駆動し、各色光（ＲＧＢ）を用いて基準部材２７を読み取り、原稿に形成された画像を読み取る前の読み取りシェーディングデータを取得する（ステップＳ２０）。読み取りシェーディングデータは、光電変換素子２６で受光した画像データがセンサ基板２５でデジタル信号に変換され、制御部１００のシェーディング補正判定部２０１に出力される。
【００８０】
シェーディング補正判定部２０１は、取得した読み取りシェーディングデータと、初期シェーディングデータ記憶部２０２に記憶されている初期シェーディングデータとを比較する（ステップＳ２１）。この比較により、読み取りシェーディングデータにおける隣接画素間の画素信号レベルの差分と、初期シェーディングデータ記憶部２０２に記憶されている初期シェーディングデータにおける隣接画素間の画素信号レベルの差分とを比較する。この比較により、読み取りシェーディングデータに、基準部材２７及び基準部材２７以外を要因とした、初期シェーディングデータから大きく外れる波形歪みが有るかどうかを判定する。
【００８１】
シェーディング補正判定部２０１が、読み取りシェーディングデータにおける各色光（ＲＧＢ）の隣接画素間の画素信号レベルの差分を求めて比較し、画素信号レベルの変動量が基準部材２７を要因とするかどうかを判定する（ステップＳ２２）。これにより、シェーディング補正判定部２０１が、読み取りシェーディングデータの波形歪みが基準部材２７を要因とするか、又は、基準部材２７以外を要因とするかを判定する。
【００８２】
基準部材２７を要因としない場合（ステップＳ２２のＮＯ）、第１の光源２１Ａと第２の光源２１Ｂとを片側ずつ点灯して各色光（ＲＧＢ）で基準部材２７を読み取り、第１の光源２１Ａと第２の光源２１Ｂとの片側点灯での読み取りシェーディングデータを取得する（ステップＳ２３）。
【００８３】
取得した第１の光源２１Ａによる読み取りシェーディングデータ及び第２の光源２１Ｂによる読み取りシェーディングデータと、初期シェーディングデータ記憶部２０２に記憶されている初期シェーディングデータとを比較する（ステップＳ２４）。このとき、第１の光源２１Ａ又は第２の光源２１Ｂによる読み取りシェーディングデータにおける隣接画素間の画素信号レベルの差分と、初期シェーディングデータ記憶部２０２に記憶されている初期シェーディングデータにおける隣接画素間の画素信号レベルの差分とを比較する。この比較により、第１の光源２１Ａ又は第２の光源２１Ｂによる読み取りシェーディングデータにおける、基準部材２７及び基準部材２７以外を要因とした、初期シェーディングデータから大きく外れる波形歪みを検出する。
【００８４】
第１の光源２１Ａによる各色光（ＲＧＢ）の読み取りシェーディングデータの隣接画素間の画素信号レベルの差分と、第２の光源２１Ｂによる各色光（ＲＧＢ）の読み取りシェーディングデータの隣接画素間の画素信号レベルの差分とを比較し、波形歪みが基準部材２７を要因とするかどうかを判定する（ステップＳ２５）。第１の光源２１Ａによる隣接画素間の画素信号レベルの差分と、第２の光源２１Ｂによる隣接画素間の画素信号レベルの差分とが同様である場合には、波形歪みが基準部材２７を要因とするものと判定する。また、第１の光源２１Ａによる隣接画素間の画素信号レベルの差分と、第２の光源２１Ｂによる隣接画素間の画素信号レベルの差分とが大きく異なる場合には、波形歪みが基準部材２７を要因とないものと判定する。
【００８５】
波形歪みが基準部材２７を要因とするかどうかを判定（ステップＳ２２のＹＥＳ、及び、ステップＳ２５）した後、判定結果を基にシェーディング補正判定部２０１が、読み取りシェーディングデータに対して初期シェーディングデータを用いて補正をかけたシェーディングデータ（補正シェーディングデータ）を算出する（ステップＳ２６）。基準部材２７を要因とする波形歪みが発生している位置の読み取りシェーディングデータに対してのみ、初期シェーディングデータを適用することで、基準部材２７を要因とする波形歪みを初期シェーディングデータで補正した補正シェーディングデータを算出する。これにより、基準部材２７を要因とする波形歪みを補正した補正シェーディングデータを得ることができる。
【００８６】
光源２１を駆動し、各色光（ＲＧＢ）を用いて原稿に形成された画像を読み取る（ステップＳ２７）。これにより、原稿に形成された画像データを取得する。そして、シェーディング補正部２０３が、シェーディング補正判定部２０１で算出した補正シェーディングデータを用いて読み取り画像データに対してシェーディング補正を行う（ステップＳ２８）。
【００８７】
以上の処理により、読み取りシェーディングデータの波形歪みにおいて、初期シェーディングデータからの変動量が各色光で同じである場合にも、基準部材２７を要因とする波形歪みのみを検出することができる。このため、基準部材２７を要因とする波形歪みのみを初期シェーディングデータで補正した補正シェーディングデータを用いて読み取り画像データのシェーディング補正を行い、原稿に形成された画像を読み取った際の画像ムラを抑制することができる。
【００８８】
なお、本発明は上述の実施形態例において説明した構成に限定されるものではなく、その他本発明構成を逸脱しない範囲において種々の変形、変更が可能である。
【符号の説明】
【００８９】
１０  自動原稿搬送装置、１００  制御部、１０１Ｒ，１０１Ｇ，１０１Ｂ  初期シェーディングデータ、１０２  光線、１０３Ｒ，１０３Ｇ，１０３Ｂ  読み取りシェーディングデータ、１０５Ｒ，１０５Ｇ，１０５Ｂ  読み取りシェーディングデータ、１０７Ｒ，１０７Ｇ，１０７Ｂ  読み取りシェーディングデータ、１０９Ｒ，１０９Ｇ，１０９Ｂ  読み取りシェーディングデータ、１１  原稿セットセンサ、１１０Ｒ，１１０Ｇ，１１０Ｂ  読み取りシェーディングデータ、１１１Ｒ，１１１Ｇ，１１１Ｂ  読み取りシェーディングデータ、１１２Ｒ，１１２Ｇ，１１２Ｂ  読み取りシェーディングデータ、１２  原稿給紙トレイ、１２０  記憶部、１３  装置持ち上げセンサ、２０  画像読み取り装置、２０１  シェーディング補正判定部、２０２  初期シェーディングデータ記憶部、２０３  シェーディング補正部、２１  光源、２１Ａ  第１の光源、２１Ｂ  第２の光源、２２  導光体、２２Ａ  第１の導光体、２２Ｂ  第２の導光体、２３  原稿ガラス板、２４  結像レンズ、２５  センサ基板、２６  光電変換素子、２７  基準部材、２８  光量センサ、２９  異物、３０  画像形成部、３１ａ，３１ｂ，３１ｃ，３１ｄ  感光体ドラム、３２ａ，３２ｂ，３２ｃ，３２ｄ  露光走査ユニット、３３  転写ベルト、３４  前扉センサ、４０  自動両面ユニット、５０  給紙部、５１，６１  給紙カセット、５２，６２  ピックアップローラ、６０  給紙キャビネット、７０  操作パネル、７１  表示部、７２  キー入力部、８０  副電源スイッチ、９０  ファクシミリユニット、９１  通信Ｉ／Ｆユニット
【図１】
2020096292.tif 000003
【図２】
2020096292.tif 000004
【図３】
2020096292.tif 000005
【図４】
2020096292.tif 000006
【図５】
2020096292.tif 000007
【図６】
2020096292.tif 000008
【図７】
2020096292.tif 000009
【図８】
2020096292.tif 000010
【図９】
2020096292.tif 000011
【図１０】
2020096292.tif 000012
【図１１】
2020096292.tif 000013
【図１２】
2020096292.tif 000014
【図１３】
2020096292.tif 000015